(57)【要約】【課題】  巻き取られているテープを必要長さだけ引き出して切断し、貼り付ける装置であって、例えば薄い素材や反りの大きな素材なども含め、各種のテープ素材に対しても正確、かつ確実に効率のよい作業を行うことができるようにする。【解決手段】  上側ローラ部３２は、下側ローラ３１との間で、テープリール１１からのテープの平面方向に対して上下方向から押圧をかけながら回転することで、引き込まれたテープを後段の切断部４に送り出す。切断部４によりテープが切断されると、前後移動用駆動部５５は吸着部５１を、切断部４から遠ざかる水平方向に向かって移動させる。メイン昇降シリンダ５４は、テープ片が被貼込物であるカード上の貼込位置に到達するまで吸着部５１を降下させる。こうして切断部４によりテープを切断した切断位置から運搬部５でテープ片を被貼込位置まで運搬した後にテープ片の熱圧着を行う。【選択図】  図８
2006264906.tif 000002
【特許請求の範囲】
【請求項１】
巻き取られているテープを所定長さだけ送出して切断し、該切断されたテープ片を被貼込物に貼込むテープ貼込装置であって、
前記テープを所定長さだけ送出するローラ手段と、
前記ローラ手段により送られたテープを切断する切断手段と、
前記切断手段により切断されたテープ片を被貼込物における貼込位置まで搬送する搬送手段と、
該テープ片を被貼込物に貼込む貼込手段とを備え、
前記ローラ手段は、前記テープを当該テープの平面方向に対し上下方向から押圧し、回転動作により送出する上下一対のローラを備え、該上下一対のローラの少なくとも一方が当該テープの数だけ設けられ、
前記貼込手段は、前記搬送手段により貼込位置まで搬送されたテープ片を当該貼込位置で被貼込物に貼込むことを特徴とするテープ貼込装置。
【請求項２】
前記搬送手段は、前記切断手段により切断されたテープ片を、前記切断手段による切断位置以外の位置で吸着保持し、被貼込物の被貼込平面に対して略平行方向における該切断位置から遠ざかる方向に搬送した後、前記貼込位置へと搬送することを特徴とする請求項１記載のテープ貼込装置。
【請求項３】
前記貼込手段は、被貼込物における被貼込平面に対して略平行方向に移動可能に構成され、前記搬送手段が該テープ片を前記貼込位置まで搬送した後、該被貼込平面に対して略平行方向に移動するよう構成されたことを特徴とする請求項１、又は２記載のテープ貼込装置。
【請求項４】
前記貼込手段は、被貼込平面に対して略垂直方向に移動可能に構成され、該被貼込平面に対して略平行方向に移動した後、該被貼込平面に対して略垂直方向に移動することで前記貼込位置に到達し、前記搬送手段により前記貼込位置に搬送されたテープ片を当該テープ片に対する垂直方向への熱圧着により前記被貼込物に貼込むよう構成されたことを特徴とする請求項３記載のテープ貼込装置。
【請求項５】
被貼込物を被貼込平面方向に移動させる移動テーブルを備え、
前記貼込手段は、前記移動テーブルによる該被貼込物の移動に伴い、テープ片の複数個所を該複数回に分けて貼込むことを特徴とする請求項１から４の何れか１項に記載のテープ貼込装置。
【請求項６】
前記移動テーブル上に配置された全ての被貼込物に対するテープ片の貼込みが完了した後、該移動テーブルが貼込動作時と逆方向に移動されることにより被貼込物表面のゴミを取除くゴミ取り手段を備えたことを特徴とする請求項５記載のテープ貼込装置。
【請求項７】
前記被貼込物はカードであり、前記巻き取られているテープが該カードの一部に貼込まれることを特徴とする請求項１から６の何れか１項に記載のテープ貼込装置。
【発明の詳細な説明】
【技術分野】
【０００１】
本発明は、巻き取られているテープを予め定められた長さだけ引き出して切断したテープ片を被貼込物に貼込む作業のために用いられるテープ貼込装置に関する。
【背景技術】
【０００２】
従来より、例えばテープ片が貼り付けられたカードの製造工程など、テープ片を貼り付ける工程で用いられるテープ貼込装置がある。
こうした従来の装置に、吸着コマによりフィルムテープを吸着し、その吸着した吸着コマを移動させることでフィルムテープを送り出し、カッタで切断するものがある（例えば、特許文献１参照）。
【０００３】
また、署名をするためのサインパネルを貼り付ける装置として、バキュームコロによりテープを吸引することで、テープを被貼付物の指定位置に案内するものがある（例えば、特許文献２参照）。
【特許文献１】特開２００２−２２５１５７号公報
【特許文献２】特許第３０１３４５９号公報
【発明の開示】
【発明が解決しようとする課題】
【０００４】
しかしながら、上述した特許文献１のものでは、テープを吸着した吸着コマを移動させるため、吸着力を強くする必要が生じる虞もあり、テープ素材が薄い場合など、テープ素材によってはテープにしわをつくってしまう虞もあった。
【０００５】
また、上述した特許文献２のものでは、バキュームコロによりテープを吸引することでテープを案内するため、反りの大きなテープ素材など、テープ素材によっては吸着不良を生じる虞もあった。
【０００６】
本発明はこのような状況に鑑みてなされたものであり、巻き取られているテープを必要長さだけ引き出して切断し、貼り付ける装置であって、例えば薄い素材や反りの大きな素材なども含め、各種のテープ素材に対しても正確、かつ確実に効率のよい作業を行うことができるテープ貼込装置を提供することを目的とする。
【課題を解決するための手段】
【０００７】
かかる目的を達成するために、請求項１記載の発明は、巻き取られているテープを所定長さだけ送出して切断し、該切断されたテープ片を被貼込物に貼込むテープ貼込装置であって、テープを所定長さだけ送出するローラ手段と、ローラ手段により送られたテープを切断する切断手段と、切断手段により切断されたテープ片を被貼込物における貼込位置まで搬送する搬送手段と、該テープ片を被貼込物に貼込む貼込手段とを備え、上記したローラ手段は、テープを当該テープの平面方向に対し上下方向から押圧し、回転動作により送出する上下一対のローラを備え、該上下一対のローラの少なくとも一方が当該テープの数だけ設けられ、上記した貼込手段は、搬送手段により貼込位置まで搬送されたテープ片を当該貼込位置で被貼込物に貼込むことを特徴とする。
【０００８】
上記技術的手段によれば、ローラ手段が、上下一対のローラによりテープを当該テープの平面方向に対し上下方向から押圧し、回転動作により送出し、該上下一対のローラの少なくとも一方が当該テープの数だけ設けられており、貼込手段が、搬送手段により貼込位置まで搬送されたテープ片を当該貼込位置で被貼込物に貼込むため、巻き取られているテープそれぞれに対して当該テープの平面方向に対し上下方向から最適な押圧を行うことができるため、各テープを正確かつ確実に送出することができる。
【０００９】
請求項２記載の発明は、上記した搬送手段が、切断手段により切断されたテープ片を、切断手段による切断位置以外の位置で吸着保持し、被貼込物の被貼込平面に対して略平行方向における該切断位置から遠ざかる方向に搬送した後、貼込位置へと搬送することを特徴とする。
【００１０】
上記技術的手段によれば、切断手段により切断されたテープ片を、切断手段による切断位置以外の位置で上記した搬送手段が吸着保持し、被貼込物の被貼込平面に対して略平行方向における該切断位置から遠ざかる方向に搬送した後、貼込位置へと搬送するため、切断手段による切断位置で仮に切り屑などのゴミが発生した場合であっても、そのゴミが貼込位置にもたらされてしまう可能性を極めて低く抑えることができる。
【００１１】
請求項３記載の発明は、上記した貼込手段が、被貼込物における被貼込平面に対して略平行方向に移動可能に構成され、搬送手段が該テープ片を貼込位置まで搬送した後、該被貼込平面に対して略平行方向に移動するよう構成されたことを特徴とする。
【００１２】
上記技術的手段によれば、上記した貼込手段が、被貼込物における被貼込平面に対して略平行方向に移動可能に構成され、搬送手段が該テープ片を貼込位置まで搬送した後、該被貼込平面に対して略平行方向に移動するため、搬送手段によるテープ片の移動途中に貼込手段とテープが接触する虞をなくすことができ、正確かつ確実なテープ片の搬送を行うことができる。
【００１３】
請求項４記載の発明は、上記した貼込手段が、被貼込平面に対して略垂直方向に移動可能に構成され、該被貼込平面に対して略平行方向に移動した後、該被貼込平面に対して略垂直方向に移動することで貼込位置に到達し、搬送手段により貼込位置に搬送されたテープ片を当該テープ片に対する垂直方向への熱圧着により被貼込物に貼込むよう構成されたことを特徴とする。
【００１４】
上記技術的手段によれば、上記した貼込手段が被貼込平面に対して略平行方向に移動した後、該被貼込平面に対して略垂直方向に移動することで貼込位置に到達し、搬送手段により貼込位置に搬送されたテープ片を当該テープ片に対する垂直方向への熱圧着により被貼込物に貼込むため、搬送手段により貼込位置まで搬送されたテープ片に対して不要な力を加えてしまうことがなく、正確かつ確実に熱圧着を行うことができる。
【００１５】
請求項５記載の発明は、被貼込物を被貼込平面方向に移動させる移動テーブルを備え、上記した貼込手段は、移動テーブルによる該被貼込物の移動に伴い、テープ片の複数個所を該複数回に分けて貼込むことを特徴とする。
【００１６】
上記技術的手段によれば、移動テーブルの移動による被貼込物の移動に伴い、貼込手段がテープ片の複数個所を該複数回に分けて貼込むため、テープ片にしわが発生することを防止し、テープ片と被貼込物との密着性を高めることができる。
【００１７】
請求項６記載の発明は、上記した移動テーブル上に配置された全ての被貼込物に対するテープ片の貼込みが完了した後、該移動テーブルが貼込動作時と逆方向に移動されることにより被貼込物表面のゴミを取除くゴミ取り手段を備えたことを特徴とする。
【００１８】
上記技術的手段によれば、移動テーブル上に配置された全ての被貼込物に対するテープ片の貼込みが完了した後で、該移動テーブルが貼込動作時と逆方向に移動されることによりゴミ取り手段が被貼込物表面のゴミを取除くため、テープ片の貼込作業時に仮に被貼込物表面にゴミが残ってしまっていた場合であっても、後段の処理にゴミを残さないようにすることができる。換言すれば、上記したゴミの取除きを、本発明に係るテープ貼込装置により行うことができる。
【００１９】
請求項７記載の発明は、上記した被貼込物がカードであり、巻き取られているテープが該カードの一部に貼込まれることを特徴とする。
【００２０】
上記技術的手段によれば、被貼込物であるカードに対して、巻き取られているテープからテープ片を該カードの一部に貼込むことができる。
【発明の効果】
【００２１】
以上のように、本発明によれば、巻き取られているテープを必要長さだけ引き出して切断し、貼り付ける装置であって、例えば薄い素材や反りの大きな素材なども含め、各種のテープ素材に対しても正確、かつ確実に効率のよい作業を行うことができる。
また、少なくとも一方のローラがテープ供給リールの数だけ設けられているため、ローラ中央で撓むことなく、各テープに対して最適な圧力を加えるように制御することができ、高精度な動作を実現することができる。
【発明を実施するための最良の形態】
【００２２】
次に、本発明に係るテープ貼込装置を適用した一実施形態について、図面を用いて詳細に説明する。
本実施形態のテープ貼込装置は、テープが部分的に貼り付けられたプラスチックカードの製造工程で、プレス工程による本貼りを行う前の位置決めを行うために用いられるものであり、精度よく位置決めを行うことができ、貼着ムラが発生することのない好適なものを例示している。
【００２３】
本実施形態としてのテープ貼込装置は、図１、図２に示すように、テープが巻き取られているテープリールを６つ並列させてそれぞれを回転可能に支持するテープリール支持部１と、テープを送る従動ローラ２１，２２と、予め定められた長さのテープをモータにより送り出すローラ部３と、テープを切断する切断部４と、切断されたテープ片を吸着して搬送する搬送部５と、搬送されたテープ片を熱圧着によりカードに貼込む熱圧着ユニット６と、被貼込物であるカードを載せて移動させるＸＹテーブル７とを備える。
【００２４】
テープリール支持部１は、６つのテープリール１１を並列させてリール回転軸１３によりそれぞれを回転可能に支持する支持アーム１２が、アーム回転軸１４によりテープ貼込装置本体に装着され、回転固定部１５ａまたは１５ｂによりアーム回転軸１４を中心とした回転動作を固定されて構成されている。
【００２５】
支持アーム１２に装着されている６つのテープリール１１の何れかをユーザが交換する場合、図１に示すように、交換したいテープリール１１を支持している支持アーム１２を、アーム回転軸１４を中心として回転固定部１５ｂで回転を止められるまで回転させることで、交換したいテープリールのみを簡単に取り外し可能な位置に持ってくることができる。
すなわち、支持アーム１２は６つのテープリール１１のそれぞれに対して独立に回転可能に構成されている。
このことにより、６つのテープリールが装着された構成であっても、交換したいテープリールのみを簡単に取り外して交換することができる。
【００２６】
ローラ部３は、テープリール１１に巻き取られているテープを従動ローラ２１，２２を介して引き込み、図３に示すように、モータ３４の動力がカップリング３４１を介して下側ローラ３１に伝達されることで、そのテープを予め定められた一定長さずつ後段の切断部４に送り出す。
この予め定められた一定長さ（所定長さ）とは、被貼込物であるカード１枚に対して貼込まれるテープ片の長さとなるため、その送り出し長さは精密にコントロールされる必要がある。
【００２７】
そこで、このローラ部３では、図３に示すように、上下一対のローラが設けられ、その一方である上側ローラ３２（３２ａ〜３２ｆ）が、６つのテープリール１１に対応して６つ並列されて構成される。
この上側ローラ部３２は、下側ローラ３１との間で、テープリール１１からのテープの平面方向に対して上下方向から押圧をかけながら回転することで、引き込まれたテープを後段の切断部４に送り出すが、上述のように６つのテープリール１１に対応して６つ並列されて構成されることにより、引き込まれた６本のテープそれぞれに対して最適な圧力をかけるようコントロールすることができる。
【００２８】
ここで、上側ローラ３２および下側ローラ３１の素材について考察すると、例えば樹脂製である場合、引き込むテープの素材によっては、テープがローラに貼り付く虞も考慮する必要が生じる。
また、本実施形態ではテープ片のカードへの貼込みを熱圧着ユニット６により行っているため、熱圧着ユニット６からの発熱による温度上昇も考慮すると、テープがローラに貼り付いてしまう可能性をさらに考慮する必要がある。
以上により、本実施形態では上側ローラ３２および下側ローラ３１の素材を金属製としている。このことにより、仮に熱圧着ユニット６からの発熱による温度上昇が発生したとしても、各種の素材のテープに対して、テープがローラに貼り付くことのないようにすることができ、テープの好適な送り出しを行うことができる。
【００２９】
このように上側ローラ３２および下側ローラ３１の素材が金属製であるため、テープの送り出し長さを精密にコントロールするためには、テープの平面方向に対する上下方向から加える圧力の精密な調整が必要となる。
【００３０】
このため、上側ローラ３２は上述のようにテープリール１１の数だけ並列に設けられ、図３に示すように、圧縮バネ３３２とスライドレール３３３とを介してローラ支持部３３によりそれぞれ独立に支持される。
ローラ支持部３３は、上側ローラ昇降シリンダ３３１を介して装置本体の外枠部に垂直移動可能に支持されることで垂直方向移動の微調整が可能となっており、上側ローラ３２および下側ローラ３１により上下方向からテープにかける押圧が予め定められた一定圧力になるようにコントロールする。
【００３１】
ここで例えば上下とも１つのローラである場合、中央部分と両端部分とではローラ本体の素材の可撓性により、上下方向から押圧する圧力が、両端部分に比べて中央部分で小さくなってしまう虞があった。
【００３２】
本実施形態のローラ部３では、上述のように６つの上側ローラ３２（３２ａ〜３２ｆ）が、それぞれ独立に圧力をコントロールされることにより、引き込まれる６本のテープそれぞれに対して、金属製の上側ローラ３２および下側ローラ３１により最適な圧力による押圧をかけることができるため、モータ３４の回転を制御することで、テープの素材にかかわらず、テープを正確に送り出し、テープの送り出し長さを精密にコントロールすることができる。
【００３３】
切断部４は、図２に示すように、カッタ用モータ４１の回転動作をカム４２が上下動作に変換し、その上下動作によりカッタ４３が、ローラ部３により誘導板４４上に送り出されたテープを切断するよう構成されている。
このカッタ４３やカム４２についても、上述した上側ローラ３２と同様にテープリール１１の数だけ並列に設けられた構成であってもよく、幅の広い１つのカッタにより全てのテープを切断する構成であってもよい。
【００３４】
搬送部５は、誘導板４４上でカッタ４３により切断されたテープ片を吸着部５１により吸着し、ＸＹテーブル７上に配置された被貼込物であるカードの予め定められた被貼込位置まで搬送する。
吸着部５１は、不図示の真空発生器が接続されることにより、切断されたテープ片をその真空発生器による外気との気圧差で吸着する。真空発生器は、吸着部５１が誘導板４４上でテープ片を吸着する時から、被貼込物であるカード上の予め定められた被貼込位置で熱圧着ユニット６により１回目の熱圧着が行われるまでの間のみ動作する。
【００３５】
搬送部５は、図１、図２に示すように、この吸着部５１の上下位置を微調整するサブ昇降シリンダ５２と、サブ昇降シリンダ５２をテープリール１１の数だけ並列に固定する取付板５３と、取付板５３を上下に移動させることでテープ片の上下方向の搬送を行うメイン昇降シリンダ５４と、メイン昇降シリンダ５４ごと水平方向に移動させることでテープ片を水平方向に搬送するテープ移動用シリンダ５５とをさらに備えて構成される。
換言すると、搬送部５は、サブ昇降シリンダ５２およびメイン昇降シリンダ５４がテープ片の被貼込平面に対して略垂直方向への搬送を担当し、テープ移動用シリンダ５５がテープ片の被貼込平面に対して略平行方向への搬送を担当するよう構成され、ＸＹテーブル７上に配置された被貼込物であるカードの被貼込平面が略水平になるようにテープ貼込装置本体が設置されているため、サブ昇降シリンダ５２およびメイン昇降シリンダ５４が上下移動、テープ移動用シリンダ５５が水平移動を担当することとなっている。
【００３６】
熱圧着ユニット６は、熱圧着部（貼込手段）６１によりテープ片をカードに貼込むためのものであり、図１、図４に示すように、熱圧着部６１と、被貼込物であるカードの被貼込面に対して熱圧着部６１を垂直方向に移動させる熱圧着部昇降シリンダ６２と、熱圧着部昇降シリンダ６２をテープリール１１の数だけ並列に固定する取付板６３と、熱圧着部昇降シリンダ６２ごと熱圧着部６１を被貼込面に対して平行方向に移動させるヒータ移動用シリンダ６４とを備えて構成される。
【００３７】
ここで、取付板６３はスライドレール６３１を介して装置本体の外枠部に水平移動可能に支持されており、上述のようにＸＹテーブル７上に配置された被貼込物であるカードの被貼込平面が略水平になるようにテープ貼込装置本体が設置されているため、熱圧着部昇降シリンダ６２による被貼込面に対する垂直方向の移動は上下方向の移動となり、ヒータ移動用シリンダ６４による被貼込面に対する平行方向の移動は水平方向の移動となる。
【００３８】
また、熱圧着部６１は、それぞれ図４に示すように、２つのガイドピン６２１と、フローティングジョイント６２２とにより取付板６３に支持される。
このことにより、被貼込物であるカードの被貼込面上に搬送されたテープ片に対して熱圧着部６１を押し当てる際に、例えば微少な凹凸などにより熱圧着部６１ががたつくようなことがあったとしても、フローティングジョイント６２２の作用によりそうしたがたつきに対しても影響を受けることなく垂直方向に熱圧着を行うことができる。
【００３９】
ＸＹテーブル７は、被貼込物であるカードを取り出すシート（カード原板）を図５に示すように載置し、被貼込物固定部７１（７１ａ，７１ｂ）により固定し、図５のＸ方向およびＹ方向に移動可能とさせるものである。
ＸＹテーブル７は、Ｘ方向移動テーブル７７の上にＹ方向スライド部７４によりスライド移動可能に設けられ、Ｘ方向移動用モータ７５の回転によりＸ方向ボールネジ７６の作用でＸ方向移動テーブル７７が図５のＸ方向に移動するよう構成され、このことによりＸＹテーブル７のＸ方向における移動や位置調整が行われることとなる。
同様にＹ方向移動用モータ７２の回転によりＹ方向ボールネジ７３の作用でＸＹテーブル７がＹ方向スライド部７４に沿って図５のＹ方向に移動するよう構成され、このことによりＸＹテーブル７のＹ方向における移動や位置調整が行われることとなる。
【００４０】
このようにしてＸＹテーブル７が図５のＸ方向およびＹ方向に移動可能となり、かつ停止位置を精密にコントロールできるように構成されるため、熱圧着部６１によるテープ片の貼込み位置を精密に調整することができる。
【００４１】
次に、本実施形態としてのテープ貼込装置による貼込み動作について説明する。
貼込み作業開始に当たって、まず不図示の操作部によりイニシャライズの操作がなされると、不図示の制御コンピュータは、６つのテープリール１１それぞれからテープが従動ローラ２１，２２を介してローラ部３に確実に送られているかをローラ部３での送り出し動作により確認し、切断部４で６本のテープ全てに対する切断を行うことで、６本のテープそれぞれに対するテープ先端位置の初期化を行う。
【００４２】
こうしてイニシャライズが行われると、不図示の操作部によりユーザから貼込み作業開始の操作入力が可能な状態となる。
貼込み作業開始の操作がなされると、ローラ部３は下側ローラ３１および上側ローラ３２の回転により、従動ローラ２１，２２を介してテープリール１１からテープを予め定められた長さだけ送り出す。
ローラ部３による１回の送り出し長さは、カードに貼込まれるテープ片の長さとして予め設定されている。
【００４３】
こうしてローラ部３からテープが予め定められた長さだけ誘導板４４の方に送り出されると、搬送部５のサブ昇降シリンダ５２は吸着部５１を誘導板４４上のテープに対して降下させ、吸着部５１は誘導板４４上で送り出されたテープの端部を吸着する。
送り出されたテープの端部が吸着部５１の吸着により固定されると、切断部４は誘導板４４上の所定位置でテープを切断する。
ローラ部３による送り出し動作や切断部４による切断動作は、６つのテープリール１１からのテープに対して同時に行われる。
【００４４】
こうしてテープが切断されてできるテープ片の搬送動作について、図６、図７を参照して説明する。
サブ昇降シリンダ５２は切断部４によりテープが切断されると、吸着部５１を少し上方に移動させてテープ片が誘導板４４に接触しないようにし、テープ移動用シリンダ５５はその状態のままメイン昇降シリンダ５４ごと吸着部５１を、切断部４から遠ざかる水平方向に向かって移動させる（ステップＳ１）。
【００４５】
こうしてテープ片が貼込位置の上空まで来ると、メイン昇降シリンダ５４は、テープ片が被貼込物であるカード上の貼込位置に到達するまで、取付板５３およびその取付板５３に取り付けられたサブ昇降シリンダ５２、吸着部５１を降下させる（ステップＳ２）。
【００４６】
吸着部５１が貼込位置まで降下すると、熱圧着ユニット６のヒータ移動用シリンダ６４は、取付板６３およびその取付板６３に取り付けられた熱圧着部昇降シリンダ６２、熱圧着部６１を、切断部４の下方の収納位置から水平方向に貼込位置に向かって移動させ、熱圧着部６１が１回目の熱圧着位置の上空に来るようにする（ステップＳ３）。
【００４７】
熱圧着部６１が１回目の熱圧着位置の上空に到達すると、熱圧着部昇降シリンダ６２は、熱圧着部６１がテープ片をカードに対して圧着できるように熱圧着部６１を降下させる（ステップＳ４）。熱圧着部６１は、予め設定された熱圧着用の温度にヒータで加熱されているため、熱圧着部昇降シリンダ６２により熱圧着部６１がテープ片をカードに対して押圧することで、テープ片をその熱圧着位置でカードに対して熱圧着することとなる。
【００４８】
上記の１回目の熱圧着位置は、図５に示すように、テープ片における吸着部５１での吸着位置と反対側の端部となっている。
この１回目の熱圧着が行われると、サブ昇降シリンダ５２の上昇後、メイン昇降シリンダ５４は吸着部５１を元の位置まで引き上げ（ステップＳ５）、続いて熱圧着部昇降シリンダ６２は熱圧着部６１を元の位置まで引き上げる（ステップＳ６）。
【００４９】
熱圧着部６１がテープ片から離れると、シートにおける熱圧着部６１での２回目の熱圧着位置が、１回目に熱圧着を行った位置、すなわち熱圧着部昇降シリンダ６２による熱圧着部６１の前回の降下位置となるよう、ＸＹテーブル７がＸ方向移動用モータ７５の回転により移動される（ステップＳ７）。
２回目の熱圧着位置は、図５に示すように、テープ片の中央であってよい。
【００５０】
こうしてＸＹテーブル７が２回目の熱圧着に向けて移動されると、上述したステップＳ４、Ｓ６、Ｓ７と同様の動作により、熱圧着部６１によるテープ片の２回目の熱圧着を行い、ＸＹテーブル７を３回目の熱圧着に向けて移動する（ステップＳ８、Ｓ９）。
ＸＹテーブル７が３回目の熱圧着に向けて移動されると、上述したステップＳ４と同様の動作により、熱圧着部６１によるテープ片の３回目の熱圧着を行う（ステップＳ１０）。
３回目の熱圧着位置は、図５に示すように、テープ片における１回目の熱圧着位置と反対側の端部であってよい。
【００５１】
３回の熱圧着が完了すると、熱圧着部昇降シリンダ６２およびヒータ移動用シリンダ６４は熱圧着部６１を元の位置まで戻し、ＸＹテーブル７はＸ方向移動用モータ７５の回転により次のカードにおける１回目の熱圧着に向けて移動される。
こうして６枚１組のカードそれぞれに対してテープ片の貼込みが行われると、次のカードに対しても、上述したステップＳ１からＳ１０の動作を繰り返すことで、ローラ部３から送り出されて切断部４により切断されたテープ片を貼込む作業が行われる。
ＸＹテーブル７上のシートに含まれる全てのカードに対して貼込みが完了すると、吸着部５１や熱圧着部６１を元の位置に戻し、作業終了となる。
【００５２】
このように、本実施形態によれば、切断部４によりテープを切断した切断位置から搬送部５でテープ片を被貼込位置まで搬送した後にテープ片の熱圧着を行うため、切断部４による切断時にテープの切り屑が発生した場合であっても、被貼込物であるカードにその切り屑により影響を及ぼすことなく、高品質な貼込みを行うことができる。
このため、後段のプレス工程でも切り屑による影響のない高品質なカード作成ができる。また、本実施形態のテープ貼込み装置による貼込み工程の後、プレス工程の前にゴミ取り工程を設ける場合であっても、そのゴミ取り工程の処理を簡単に行うことができると共に、高品質なゴミ取り仕上げを行うことができる。
【００５３】
また、本実施形態では、メイン昇降シリンダ５４が取付板５３およびその取付板５３に取り付けられたサブ昇降シリンダ５２、吸着部５１を降下させ、テープ片を被貼込物であるカード上の貼込位置に到達させた後で、熱圧着ユニット６のヒータ移動用シリンダ６４による１回目の熱圧着に向けた熱圧着部６１の移動が開始されるため、メイン昇降シリンダ５４により降下していくテープ片が熱圧着ユニット６に接触して位置ズレを起こす危険がなく、安定した動作で高精度な貼込みを行うことができる。
すなわち、吸着部５１はテープ片を熱圧着ユニット６と反対側の端部で吸着保持しているため、熱圧着部６１による１回目の熱圧着位置の上空はテープ片の移動経路となっているが、吸着部５１が降下した後で熱圧着部６１が水平方向に１回目の熱圧着位置の上空まで移動し、さらに熱圧着部昇降シリンダ６２により熱圧着部６１がテープ片をカードに対して圧着できるように降下するため、テープ片と熱圧着ユニット６との接触を防止し、テープ片の位置ズレを防止することができ、正確かつ確実な作業を行うことができるようになっている。
【００５４】
また、本実施形態では、テープ片の両端部および中央部を端から順に、ＸＹテーブル７を移動させながら３回に分けて熱圧着しているため、しわの発生を防止し、テープ片の平滑性を高め、テープ片とカードとの密着性を高めることができる。
【００５５】
次に、本発明の他の実施形態について説明する。
他の実施形態として、図８に示すように、上述した実施形態の構成に加えて、ＸＹテーブル７上のシート表面のゴミを取り除くゴミ取りローラ８を備えるようにしてもよい。
図８に示すゴミ取りローラ８は、カードへのテープ片の貼込み作業におけるＸＹテーブル７の移動（ステップＳ１１）が行われ、全てのカードへのテープ片の貼込みが完了した後、ＸＹテーブル７上のシート表面を押圧するように降下され（ステップＳ１２）、こうしてゴミ取りローラ８が降下された状態でＸＹテーブル７がテープ片の貼込み動作時と逆方向に移動されることで（ステップＳ１３）、シート表面に残るゴミを取り除く。
【００５６】
このゴミ取りローラ８を備える実施形態によれば、貼込み工程の後のゴミ取り工程を本発明に係るテープ貼込装置で同時に行うことができ、作業の省力化を図れると共に、ゴミ取り用の装置が不要となるため、生産ライン全体としてのコストダウンを実現することもできる。
このゴミ取りローラ８は、ゴミを取り除くことができれば他の手段であってもよく、例えば静電気によりゴミを取り除く装置などであってもよい。
【００５７】
なお、上述した各実施形態は本発明の好適な実施形態であり、本発明はこれに限定されることなく、本発明の技術的思想に基づいて種々変形して実施することが可能である。
例えば、上述した実施形態では下側ローラ３１は１つのローラとして示しているが、下側ローラ３１も同様にテープリールの数だけ並列された構成であっても同様に本発明を実現することができる。
また、従動ローラ２１，２２も、６つのローラが同様に並列された構成であってもよく、６つのテープリールに対応した横幅である１つのローラであってもよい。
【００５８】
また、下側ローラ３１および上側ローラ３２の材料である金属は、熱圧着に伴う温度上昇時にもテープ片に貼り付いてしまうことのない素材であれば任意の素材であってよく、例えばステンレスなどであってもよい。
【００５９】
また、被貼込物であるカードは、プラスチック製に限定されず、切断されたテープ片を貼込むだけの強度を備えた剛体であれば各種の素材であってよい。
また、被貼込物は、切断されたテープ片を貼込むだけの貼込平面が少なくとも形成された剛体であれば、任意の形状のものであってよい。
【００６０】
また、テープリール支持部１は、６つのテープリール１１を並列させて支持することとして説明したが、テープリールの数は６つに限定されず、任意の数であってよい。
この場合、貼込み作業に関わる従動ローラ２１，２２と、ローラ部３と、切断部４と、搬送部５と、熱圧着ユニット６とについても、上述した実施形態で６つ備えている部分をそれぞれテープリールの数だけ備えることとなる。
【００６１】
また、熱圧着部６１によるテープ片の熱圧着は、３回に分けて行うこととして説明したが、後段のプレス工程に向けての位置決めを行うことができれば回数は何回であってもよい。
【図面の簡単な説明】
【００６２】
【図１】本発明の実施形態としてのテープ貼込装置の台上の構成例を示す図である。
【図２】該テープ貼込装置の切断部４周りの要部構成を示す拡大図である。
【図３】ローラ部３周りを、テープ送出先方向から見た図である。
【図４】熱圧着ユニット６周りを、テープ送出先方向から見た図である。
【図５】ＸＹテーブル７にシートがセットされた状態と熱圧着工程とを示す図である。
【図６】切断されたテープ片の貼込み動作前半を示す図である。
【図７】切断されたテープ片の貼込み動作後半を示す図である。
【図８】ゴミ取りローラ８を備えた他の実施形態の台上構成例を示す図である。
【符号の説明】
【００６３】
１    テープリール支持部
１１    テープリール
１２    支持アーム
１３    リール回転軸
１４    アーム回転軸
１５    回転固定部
２１、２２    従動ローラ
３    ローラ部
３１    下側ローラ
３２（３２ａ〜３２ｆ）    上側ローラ
３３    ローラ支持部
３３１    上側ローラ昇降シリンダ
３３２    圧縮バネ
３３３    スライドレール
３４    モータ
３４１    カップリング
４    切断部
４１    カッタ用モータ
４２    カム
４３    カッタ
４４    誘導板
５    搬送部
５１    吸着部
５２    サブ昇降シリンダ
５３    取付板
５４    メイン昇降シリンダ
５５    テープ移動用シリンダ
６    熱圧着ユニット
６１    熱圧着部（貼込手段の一例）
６２    熱圧着部昇降シリンダ
６２１    ガイドピン
６２２    フローティングジョイント
６３    取付板
６３１    スライドレール
６４    ヒータ移動用シリンダ
７    ＸＹテーブル
７１    被貼込物固定部
７２    Ｙ方向移動用モータ
７３    Ｙ方向ボールネジ
７４    Ｙ方向スライド部
７５    Ｘ方向移動用モータ
７６    Ｘ方向ボールネジ
７７    Ｘ方向移動テーブル
８    ゴミ取りローラ
【図１】
2006264906.tif 000003
【図２】
2006264906.tif 000004
【図３】
2006264906.tif 000005
【図４】
2006264906.tif 000006
【図５】
2006264906.tif 000007
【図６】
2006264906.tif 000008
【図７】
2006264906.tif 000009
【図８】
2006264906.tif 000010